(57)【要約】【課題】簡易な構造でありながら多彩な陳列面を形成でき、度決めの効いたボリューウム感のある仕切りができる陳列の演出に優れる商品陳列台を提供すること。【解決手段】短辺状の側板２ａと長辺状の側板１ａを有するＬ字断面形状の枠体１０ａを２つ使用する商品陳列台１０であって、２つの側板２ａ、１ａに亘って連続する貫通溝４ａを長手方向に所定のピッチで多数付設し、短辺状の側板２ａの先端に係合突起３ａを形成し、長辺状の側板１ａの先端側の面部に係合貫通孔５ａを形成してなる。【選択図】図１
0003139109.tif 000002
【実用新案登録請求の範囲】
【請求項１】
短辺状の側板と長辺状の側板を有するＬ字断面形状の枠体を２つ以上使用する商品陳列台であって、２つの側板に亘って連続する貫通溝を長手方向に所定のピッチで多数付設し、該短辺状の側板の先端に係合突起を形成し、該長辺状の側板の先端側の面部に係合貫通孔を形成してなることを特徴とする商品陳列台。
【請求項２】
該係合突起は、該短辺状の側板の先端であって、且つ先端の両側に形成された一対ものであることを特徴とする請求項１記載の商品陳列台。
【請求項３】
該係合突起の突起幅は、該貫通溝の溝幅よりやや小さいことを特徴とする請求項１又は２記載の商品陳列台。
【請求項４】
更に、板状の商品仕切り板を備え、該貫通溝に該商品仕切り板を嵌合させて用いることを特徴とする請求項１〜３のいずれか１項に記載の商品陳列台。
【請求項５】
該２つのＬ字断面形状の枠体を組み付けて四角状の箱体とし、該商品仕切り板は、該枠体の貫通溝に嵌合して、該枠体より前方へ突出させて用いることを特徴とする請求項１〜４のいずれか１項記載の商品陳列台。
【請求項６】
該２つのＬ字断面形状の枠体を組み付けて山形形状の陳列面を形成して用いることを特徴とする請求項１〜４のいずれか１項記載の商品陳列台。
【請求項７】
該商品が、野菜、青果物、乾物、精肉であることを特徴とする請求項１〜６のいずれか１項記載の商品陳列台。
【考案の詳細な説明】
【技術分野】
【０００１】
本考案は、主として青果物売り場で使用される多面的な陳列ができ、且つ陳列安定性に優れる商品陳列台に関するものである。
【背景技術】
【０００２】
近年、スーパー、百貨店、専門店、コンビニエンスストアー等の店内で例えば青果物の陳列に使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【０００３】
また、特開２００６−４３１号公報には、少なくとも３つの側板を有し、該３つの側板のうち、少なくとも互いに隣接する２つの側板に連続する貫通溝を長手方向に所定のピッチで多数付設した枠体からなり、更に、該貫通溝に該商品仕切り板を嵌合させて用いる商品陳列台が開示されている。この商品陳列台を用いれば、主として青果物売り場で使用される多面的な陳列ができ、且つ陳列安定性に優れたものとなる。
【考案の開示】
【考案が解決しようとする課題】
【０００４】
しかしながら、特開２００１−１９７９８４号公報の陳列棚で用いられる仕切り板は、前後方向に等ピッチで多数附設された嵌合溝に係合し、陳列商品を前後方向に区画するものである。すなわち、当該仕切り板は陳列商品が前後方向に転落、移動することを防止するものであって、左右方向を区画するものではない。このため、この種の陳列棚ではリンゴやグレープフルーツ等の丸物商品、あるいはねぎ、ごぼう等の長物商品を左右に区画して陳列することができず、またこれらのボリューム感のある陳列を演出することができないという問題がある。また、特開２００６−４３１号公報の商品陳列台で使用する商品仕切り板は陳列商品を左右方向に区画するものであっても、多彩な陳列面を形成することはできないという問題がある。
【０００５】
従って、本考案の目的は、簡易な構造でありながら多彩な陳列面を形成でき、度決めの効いたボリューウム感のある左右の仕切りができる陳列の演出に優れる商品陳列台を提供することにある。
【課題を解決するための手段】
【０００６】
かかる実情において、本考案者らは鋭意検討を行った結果、短辺状の側板と長辺状の側板を有するＬ字断面形状の枠体を２つ以上使用する商品陳列台であって、２つの側板に亘って連続する貫通溝を長手方向に所定のピッチで多数付設し、該短辺状の側板の先端に係合突起を形成し、該長辺状の側板の先端側の面部に係合貫通孔を形成し、更に該貫通溝に商品仕切り板を嵌合させた商品陳列台であれば、簡易な構造でありながら多彩な陳列面を形成でき、度決めの効いたボリューウム感のある仕切りができること等を見出し、本考案を完成するに至った。
【０００７】
すなわち、本考案は、短辺状の側板と長辺状の側板を有するＬ字断面形状の枠体を２つ以上使用する商品陳列台であって、２つの側板に亘って連続する貫通溝を長手方向に所定のピッチで多数付設し、該短辺状の側板の先端に係合突起を形成し、該長辺状の側板の先端側の面部に係合貫通孔を形成してなる商品陳列台を提供するものである。
【０００８】
また、本考案は、該係合突起は、該短辺状の側板の先端であって、且つ先端の両側に形成された一対ものである前記商品陳列台を提供するものである。また、本考案は、該係合突起の突起幅は、該貫通溝の溝幅よりやや小さい商品陳列台を提供するものである。また、本考案は、更に、板状の商品仕切り板を備え、該貫通溝に該商品仕切り板を嵌合させて用いる前記商品陳列台を提供するものである。また、本考案は、該２つのＬ字断面形状の枠体を組み付けて四角状の箱体とし、該商品仕切り板は、該枠体の貫通溝に嵌合して、該枠体より前方へ突出させて用いる前記商品陳列台を提供するものである。また、本考案は、該２つのＬ字断面形状の枠体を組み付けて山形形状の陳列面を形成して用いる前記商品陳列台を提供するものである。また、本考案は、該商品が、野菜、青果物である前記商品陳列台を提供するものである。
【考案の効果】
【０００９】
本考案の商品陳列台によれば、一の枠体の係合突起と他の枠体の係合貫通孔を、一の枠体の係合貫通孔と他の枠体の係合突起をそれぞれ係合させれば箱体が形成できる。この箱体の貫通溝に商品仕切り板を嵌合させ、該枠体より前方へ突出させて用いれば、度決めの効いたボリューウム感のある仕切りができる。また、２つの枠体を設置面に山形の陳列面となるように設置し、一の枠体の係合突起と他の枠体の係合貫通孔を係合させるか、又は一の枠体の係合突起と他の枠体の貫通溝を係合させれば、多面的な陳列面が形成できるとともに、陳列面への設置が容易で、度決めの効いたボリューム感のある仕切りが可能となる。また、商品仕切り板は薄肉でよいため商品を陳列した後でも容易に商品間を通して貫通溝に嵌合できるため、売り場の商品の陳列の乱れを防ぎ、商品陳列のガイドとして、上方向に積み上げるボリューム感のある商品陳列ができる。
【考案を実施するための最良の形態】
【００１０】
本明細書において、「前」とは通路側（顧客側）を言い、「後」とはその反対側を言う。また、長手方向とは設置状態における左右方向、すなわち、縦状の貫通溝に直交する方向を言う。本考案において、枠体の外観形状は、短辺状の側板と長辺状の側板の２つの側板を有するＬ字断面形状の部材であり、側板は長手方向（左右方向）に延出している。短辺状とは短辺を有する矩形状を言い、長辺状とは長辺を有する矩形状を言う。
【００１１】
また、貫通溝は所謂縦溝であって、互いに隣接する２つの側板に亘って連続する貫通溝である。貫通溝の先端及び後端は行き止まりであり、側板の前後方向には貫通していない。側板の前後方向に貫通していれば、そもそも所定の幅寸法を有する側板を形成できない。長辺状の側板における貫通溝の端と当該側板の端との第１余白部の長さは、短辺状の側板における貫通溝の端と当該側板の端との第２余白部の長さより大である。この第１余白部には係合貫通孔が設置されるからである。
【００１２】
貫通溝間の所定のピッチとしては、長手方向全体に亘って等ピッチであってもよく、異なるピッチであってもよいが、等ピッチであるものが、製作が容易であることや使い勝手が良い点で好ましい。ピッチ寸法としては、特に制限されず、使用目的などにより適宜決定される。ピッチ間隔が小さいほど、きめ細かな区画ができる。また、貫通溝の形状としても、特に制限されず、数ミリ幅の長溝等が挙げられる。
【００１３】
貫通溝に嵌合する商品仕切り板としては、板状物であれば特に制限されず、矩形状の板状物、不定形状の板状物、下端に嵌合片を有する板状物等が挙げられる。下端に嵌合片を有しないものは、下端縁全体もしくは仕切り板本体の一部が貫通溝に嵌合する。また、商品仕切り板は枠体の貫通溝に嵌合して商品仕切り板の前方部を該枠体より前方へ突出させるか、あるいは商品仕切り板の上方部を該枠体より上方へ突出させて用いることができる。この場合、陳列棚などの設置面が陳列面として活用できる。
【００１４】
次に、本考案の実施の形態における商品陳列台を図１〜図３を参照して説明する。図１は商品陳列台の分解斜視図、図２は商品陳列台を構成する一方の枠体の平面図、図３は図２の枠体の側面図である。商品陳列台１０は、短辺状の側板２ａと長辺状の側板１ａを有するＬ字断面形状の枠体１０ａを２つ（１０ａ、１０ｂ）使用するものであって、２つの側板１ａ、２ａに亘って連続する貫通溝４ａを長手方向（図中、Ｘ方向）に所定のピッチで多数付設し、短辺状の側板２ａの先端に係合突起３ａを形成し、長辺状の側板１ａの先端側の面部１１ａに係合貫通孔５ａを形成してなる。
【００１５】
係合突起３ａは短辺状の側板２ａの先端２２ａであって、且つ先端２２ａの両側部に形成された一対ものであって、所定幅で突起高さが小さい基部３１ａの両側端にそれぞれ形成されている。ひとつの係合突起３ａの突起幅は、貫通溝４ａの溝幅よりやや小さいものであり、他方の枠体１０ｂの貫通溝４ｂに円滑に嵌合すると共に、嵌合後は嵌合が緩まないような形状としている。また、一対の係合突起３ａ、３ａ間で形成されるの係合突起間幅の寸法ｌ２は、３本の貫通溝４ａ間の寸法ｌ３及び係合貫通孔５ａの幅寸法ｌ１よりやや小さめである。これにより係合突起３ａ、３ａが貫通溝４ａに係合する際、３本の貫通溝４ａに跨って、両端の貫通溝４ａに係合することができる。また、係合突起３ａ、３ａは係合貫通孔５ａに円滑に係合する。３本の貫通溝４ａ間の寸法ｌ３と係合貫通孔５ａの幅寸法ｌ１は同じが好適である。
【００１６】
本考案において、係合突起３ａ、３ａは上記形状に限定されず、例えば一対の係合突起３ａ、３ａではなく、一つでよい。この場合、係合貫通孔５ａは一つの係合突起に係合する形状であればよい。本考案において、短辺状の側板の短辺長さ（ｌ４）と長辺状の側板の長辺長さ（ｌ５）の比（ｌ４：ｌ５）は、特に制限されないが、１：１．５〜２．５、好適には１：２である。
【００１７】
長辺状の側板１ａにおける貫通溝４ａの端と当該側板１ａの端で形成される第１余白部６ａの長さは、短辺状の側板２ａにおける貫通溝４ａの端と当該側板２ａの端で形成される第２余白部の長さ７ａより大である。第１余白部６ａの長さは１〜数ｃｍ程度であり、第２余白部の長さ７ａはその２倍程度である。第２余白部７ａの長さが短過ぎると、短辺状の側板２ａの強度が弱くなる。一方、第２余白部７ａの長さが長過ぎると、商品仕切り板の寸法が制限され、仕切る範囲が狭くなる恐れがある。また、第１余白部６ａの長さが短過ぎると、係合貫通孔５ａの存在もあって、長辺状の側板１ａの強度が弱くなる。一方、第１余白部６ａの長さが長過ぎると、箱体における商品仕切り板の仕切りが縦方向及び奥行き方向において制限される。
【００１８】
次に、本考案の第１の実施の形態における商品陳列台を図４を参照して説明する。図４（Ａ）は本例の商品陳列台の使用状態図、（Ｂ）は（Ａ）の概略側面図である。本例の商品陳列台１０Ａは、一の枠体１０ａの係合突起３ａと他の枠体１０ｂの係合貫通孔５ｂを、一の枠体１０ａの係合貫通孔５ａと他の枠体１０ｂの係合突起３ｂをそれぞれ係合させて箱体を形成して縦置きとしたものである。この縦置きの状態において、下端の角が貫通溝で連続している面１ｂを前面とする。これにより、長辺状の側板１ｂの貫通溝４ｂの長さに相当する高さの商品仕切り板９ａを貫通溝４ｂに差し込めば、箱体の前面に載置される商品を区画することができる。商品仕切り板９ａの後端は枠体１ａの貫通溝４ａには係合しておらず、長辺状の側板１ａに当接状態となっている。この商品仕切り板９ａによる仕切りによれば、比較的高さがあり、且つ度決めの効いたボリューム感のある仕切りが可能となる。図４（Ｂ）中、右側が前方側（顧客側）である。
【００１９】
本例の商品陳列台１０Ａは、縦置きの状態の下端の角において貫通溝が連続しない面１ａを前面としてもよい。この場合、商品仕切り板は例えば後述する第２の実施の形態例で使用するような、下側が一部切り欠かれたものが使用される。このような変形例であっても、本例の商品陳列台１０Ａと同様の効果を奏する他、高さのある商品仕切り板の使用が可能となる。
【００２０】
次に、本考案の第２の実施の形態における商品陳列台を図５を参照して説明する。図５（Ａ）は本例の商品陳列台の使用状態図、（Ｂ）は（Ａ）の概略側面図である。本例の商品陳列台１０Ｂは、一の枠体１０ａの係合突起３ａと他の枠体１０ｂの係合貫通孔５ｂを、一の枠体１０ａの係合貫通孔５ａと他の枠体１０ｂの係合突起３ｂをそれぞれ係合させて箱体を形成して横置きとしたものである。この横置きの状態において、下端の角が貫通溝で連続していない面２ａを前面とする。これにより、下側で且つ後方側が一部切り欠かれた商品仕切り板９ｂを貫通溝４ａに差し込めば、箱体の上面及び前面に載置される商品を区画することができる。商品陳列台１０Ｂによれば、箱体により底上げ面、あるいはひな壇状の陳列面など多彩な陳列面を形成することができる。この商品仕切り板９ｂによる仕切りは、比較的高さと前後方向の長さがあり、且つ度決めの効いたボリューム感のある仕切りが可能となる。図５（Ｂ）中、右側が前方側（顧客側）である
【００２１】
本例の商品陳列台１０Ｂは、横置きの状態の下端の角において貫通溝が連続する面２ｂを前面としてもよい。この場合、商品仕切り板は高さが制限された矩形状のものが使用される。このような変形例であっても、本例の商品陳列台１０Ｂと同様の効果を奏する他、前後方向に長さのある商品仕切り板の使用が可能となる。
【００２２】
次に、本考案の第３の実施の形態における商品陳列台を図６を参照して説明する。図６（Ａ）は本例の商品陳列台の斜め後方から見た使用状態図、（Ｂ）は本例の商品陳列台の斜め前方から見た使用状態図、（Ｃ）は（Ａ）の概略側面図である。本例の商品陳列台１０Ｃは、２つの枠体１０ａ、１０ｂを枠体１０ａが後ろ側、枠体１０ｂが前側となるように設置し、且つそれぞれ山形形状の陳列面となるように設置し、更に前側の枠体１０ｂの係合突起３ｂを後方の枠体１０ａの係合貫通孔５ａに係合させ、鋸刃状の陳列面を形成させたものである。鋸刃状の陳列面に形成される貫通溝４ａ、４ｂに矩形状の商品仕切り板９ｃを差し込めば、陳列面の上面に載置される商品を区画することができる。この商品仕切り板９ｃによる仕切りによれば、鋸刃状の陳列面を度決めの効いたボリューム感のある仕切りが可能となる。図６（Ｃ）中、右側が前方側（顧客側）である。
【００２３】
本例の商品陳列台１０Ｃは、前後方向を反転して使用することもできる。すなわち、図６（Ｃ）中、左側が前方側（顧客側）としてもよい。このような変形例であっても、本例の商品陳列台１０Ｃと同様の効果を奏する。また、本例の商品陳列台１０Ｃは、枠体１０ａ、１０ｂの一組以上を更に前後方向に接続して使用することができる。これにより、前後方向に大きな鋸刃状の陳列面を形成することができる。
【００２４】
次に、本考案の第４の実施の形態における商品陳列台を図７を参照して説明する。図７（Ａ）は本例の商品陳列台の斜め後方から見た使用状態図、（Ｂ）は本例の商品陳列台の斜め前方から見た使用状態図、（Ｃ）は（Ａ）の概略側面図である。本例の商品陳列台１０Ｄは、２つの枠体１０ａ、１０ｂを枠体１０ａが後ろ側、枠体１０ｂが前側となるように設置し、且つそれぞれ山形形状の陳列面となるように設置し、更に前側の枠体１０ｂの係合突起３ｂを後方の枠体１ａの貫通溝４ａに係合させ、鋸刃状の陳列面を形成させたものである。商品陳列台１０Ｄにおける鋸刃は、商品陳列台１０Ｃにおける鋸刃に比べて、より鋭角な断面形状を形成している。図６（Ｃ）中、右側が前方側（顧客側）である。この商品陳列台１０Ｄによれば、鋸刃状の陳列面であって、規則性のないユニークな陳列面を形成することができる。
【００２５】
本例の商品陳列台１０Ｄは、前後方向を反転して使用することもできる。すなわち、図７（Ｃ）中、左側が前方側（顧客側）としてもよい。このような変形例であっても、本例の商品陳列台１０Ｄと同様の効果を奏する。また、本例の商品陳列台１０Ｄは、枠体１０ａ、１０ｂの一組以上を更に前後方向に接続して使用することができる。これにより、前後方向に広い鋸刃状の陳列面を形成することができる。
【００２６】
また、本例の商品陳列台１０Ｄは、鋸刃状の陳列面に形成される貫通溝４ａ、４ｂに矩形状の商品仕切り板（不図示）を差し込めば、陳列面の上面に載置される商品を区画することができる。この商品仕切り板による仕切りによれば、鋸刃状の陳列面を度決めの効いたボリューム感のある仕切りが可能となる。
【００２７】
また、本考案の商品陳列台は、２つの枠体１０ａ、１０ｂを枠体１０ａが後ろ側、枠体１０ｂが前側となるように離して設置し、且つそれぞれ山形形状の陳列面となるように設置して使用することができる。すなわち、２つの枠体１０ａ、１０ｂは互いに接続されていないものとして使用することができる。このような商品陳列台においても変則的な鋸刃状の陳列面を形成させることができる。
【００２８】
本考案の商品陳列台は、野菜、青果物、乾物、精肉など陳列に好適である。
【図面の簡単な説明】
【００２９】
【図１】本考案の実施の形態における商品陳列台の分解斜視図である。
【図２】図１の商品陳列台を構成する一方の枠体の平面図である。
【図３】図２の枠体の側面図である。
【図４】（Ａ）は第１の実施の形態例の商品陳列台の使用状態図、（Ｂ）は（Ａ）の概略側面図である。
【図５】（Ａ）は第２の実施の形態例の商品陳列台の使用状態図、（Ｂ）は（Ａ）の概略側面図である。
【図６】（Ａ）は第３の実施の形態例の商品陳列台の後方から見た使用状態図、（Ｂ）は本例の商品陳列台の前方から見た使用状態図、（Ｃ）は（Ａ）の概略側面図である。
【図７】（Ａ）は第４の実施の形態例の商品陳列台の後方から見た使用状態図、（Ｂ）は本例の商品陳列台の前方から見た使用状態図、（Ｃ）は（Ａ）の概略側面図である。
【符号の説明】
【００３０】
１ａ、１ｂ    長辺状の側板
２ａ、２ｂ    短辺状の側板
３ａ        係合突起
４ａ、４ｂ    貫通溝
５ａ        係合貫通孔
１０、１０Ａ〜１０Ｄ    商品陳列台
１０ａ、１０ｂ  枠体
【図１】
0003139109.tif 000003
【図２】
0003139109.tif 000004
【図３】
0003139109.tif 000005
【図４】
0003139109.tif 000006
【図５】
0003139109.tif 000007
【図６】
0003139109.tif 000008
【図７】
0003139109.tif 000009